(57)【要約】      （修正有）【課題】従来ガソリン等のエネルギー源とガソリン等のエネルギー源以外の物品とを同時に提供するための設備は知られておらず、ガソリン等のエネルギー源の提供とガソリン等のエネルギー源以外の物品の提供とは別個に受けなければならなかった。このようなガソリン等のエネルギー源の提供とガソリン等のエネルギー源以外の物品の提供とを同時に受けることができない不便を解消するためのものである。【解決手段】ガソリン等のエネルギー源とガソリン等のエネルギー源以外の物品とを同時に提供することを可能とするため、ガソリン等のエネルギー源の提供設備が有するエネルギー源の提供機能を構成する要素とガソリン等のエネルギー源以外の物品の提供設備が有する物品の提供機能を構成する要素とで構成され、原則としてタッチパネル等と金銭投入口等とのうち片方又は両方を具備することを特徴とする。【選択図】図１
2016002785.tif 000002
【特許請求の範囲】
【請求項１】
給油取扱所に設置されている固定給油設備や自動車の販売店等に設置されている電気自動車の充電設備に代表されるガソリンや電気等のエネルギー源の提供設備が有するエネルギー源の提供機能を構成する要素と一般に設置されている飲料の自動販売機やコンビニエンスストアに設置されているコピー機に代表されるガソリンや電気等のエネルギー源以外の物品やサービスの提供設備が有する物品やサービスの提供機能を構成する要素とで構成される設備。
【請求項２】
請求項１に記載の設備であってタッチパネル等と金銭投入口等とのうち片方又は両方を具備することを特徴とする設備。この場合のタッチパネル等はタッチパネルや押しボタン等の本発明の設備を使用するために必要な情報を入力するための装置全般である。また、この場合の金銭投入口等は金銭を投入するための金銭投入口やクレジットカードを挿入するためのクレジットカード挿入口やプリペイドカードを挿入するためのプリペイドカード挿入口等の本発明の設備を使用するために必要な物に対応するための装置全般である。
【発明の詳細な説明】
【技術分野】
【０００１】
本発明はガソリンや電気等のエネルギー源とガソリンや電気等のエネルギー源以外の物品やサービスとを同時に提供するための設備に関するものである。
【背景技術】
【０００２】
従来ガソリンや電気等のエネルギー源とガソリンや電気等のエネルギー源以外の物品やサービスとを同時に提供するための設備は知られていない。
【発明の概要】
【発明が解決しようとする課題】
【０００３】
従来ガソリンや電気等のエネルギー源とガソリンや電気等のエネルギー源以外の物品やサービスとを同時に提供するための設備は知られていなかった。そのためガソリンや電気等のエネルギー源の提供とガソリンや電気等のエネルギー源以外の物品やサービスの提供とは別個に受けなければならなかった。
【０００４】
また、固定給油設備とコンビニエンスストアとが同一の敷地内に存在する形態の給油取扱所もあるが、そのような給油取扱所でもその敷地内で固定給油設備が設置されている区域とコンビニエンスストアが設置されている区域とは分かれている。したがってガソリンの提供とコンビニエンスストアで提供されている物品やサービスの提供とを受ける場合は、固定給油設備の前に自動車を停車させ降車しガソリンの提供を受けた後、固定給油設備が設置されている区域からコンビニエンスストアが設置されている区域に自動車を移動させ停車させ、再び降車しコンビニエンスストアに入り物品やサービスの提供を受けるなどしなければならない。つまりガソリンの提供とコンビニエンスストアで提供されている物品やサービスの提供とを同時に受けることはできない。
【０００５】
本発明の設備はこのようなガソリンや電気等のエネルギー源の提供とガソリンや電気等のエネルギー源以外の物品やサービスの提供とを同時に受けることができない不便を解消するためのものである。
【課題を解決するための手段】
【０００６】
ガソリンや電気等のエネルギー源とガソリンや電気等のエネルギー源以外の物品やサービスとを同時に提供することを可能とするため、本発明の設備は給油取扱所に設置されている固定給油設備や自動車の販売店等に設置されている電気自動車の充電設備に代表されるガソリンや電気等のエネルギー源の提供設備が有するエネルギー源の提供機能を構成する要素と一般に設置されている飲料の自動販売機やコンビニエンスストアに設置されているコピー機に代表されるガソリンや電気等のエネルギー源以外の物品やサービスの提供設備が有する物品やサービスの提供機能を構成する要素とで構成され、原則としてタッチパネル等と金銭投入口等とのうち片方又は両方を具備することを特徴とする。タッチパネル等と金銭投入口等とのうち片方又は両方を具備することについては、原則としてであるため不必要である場合等は具備しないことも任意である。
【０００７】
この場合のタッチパネル等はタッチパネルや押しボタン等の本発明の設備を使用するために必要な情報を入力するための装置全般である。また、この場合の金銭投入口等は金銭を投入するための金銭投入口やクレジットカードを挿入するためのクレジットカード挿入口やプリペイドカードを挿入するためのプリペイドカード挿入口等の本発明の設備を使用するために必要な物に対応するための装置全般である。なお、タッチパネル等や金銭投入口等が意味する内容は以下も同様である。
【０００８】
ガソリンや電気等のエネルギー源の提供機能の構成については従来と同じであることも構わない。また、ガソリンや電気等のエネルギー源以外の物品やサービスの提供機能の構成についても従来と同じであることも構わない。本発明の設備の意義の一つ目は、本発明の設備が給油取扱所に設置されている固定給油設備や自動車の販売店等に設置されている電気自動車の充電設備に代表されるガソリンや電気等のエネルギー源の提供設備が有するエネルギー源の提供機能を構成する要素と一般に設置されている飲料の自動販売機やコンビニエンスストアに設置されているコピー機に代表されるガソリンや電気等のエネルギー源以外の物品やサービスの提供設備が有する物品やサービスの提供機能を構成する要素とで構成されることによって、ガソリンや電気等のエネルギー源の提供機能とガソリンや電気等のエネルギー源以外の物品やサービスの提供機能とを有し、したがって、ガソリンや電気等のエネルギー源の提供を受けることとガソリンや電気等のエネルギー源以外の物品やサービスの提供を受けることとを同一地点で完了させることや略同一地点で完了させることを可能としたことである。
【０００９】
さらに本発明の設備の意義の二つ目は、本発明の設備の使用に際してガソリンや電気等のエネルギー源の提供を受けることに関する情報入力等の操作とガソリンや電気等のエネルギー源以外の物品やサービスの提供を受けることに関する情報入力等の操作とが必要な場合、本発明の設備が原則としてタッチパネル等と金銭投入口等とのうち片方又は両方を具備することによりガソリンや電気等のエネルギー源の提供を受けることとガソリンや電気等のエネルギー源以外の物品やサービスの提供を受けることとを単に同一地点で完了させることや略同一地点で完了させることを可能としただけでなく、ガソリンや電気等のエネルギー源の提供を受けることに関する情報入力等の操作とガソリンや電気等のエネルギー源以外の物品やサービスの提供を受けることに関する情報入力等の操作とを一度にまとめて完了させることや一連の情報入力等の操作として完了させることを可能としたことである。
【００１０】
この場合の情報入力等の操作は本発明の設備への情報入力や金銭の投入やクレジットカードの挿入やプリペイドカードの挿入等の本発明の設備を使用するための行為全般、及び、返却される金銭がある場合に金銭返却口に排出されることにより返却される金銭の受け取りや発行されるレシートがある場合にレシート排出口に排出されることにより発行されるレシートの受け取りや返却されるクレジットカードがある場合にクレジットカード挿入口またはクレジットカード返却口に排出されることにより返却されるクレジットカードの受け取りや返却されるプリペイドカードがある場合にプリペイドカード挿入口またはプリペイドカード返却口に排出されることにより返却されるプリペイドカードの受け取り等の本発明の設備の使用に関連する行為全般である。なお、情報入力等の操作が意味する内容は以下も同様である。
【発明の効果】
【００１１】
本発明の設備は給油取扱所に設置されている固定給油設備や自動車の販売店等に設置されている電気自動車の充電設備に代表されるガソリンや電気等のエネルギー源の提供設備が有するエネルギー源の提供機能を構成する要素と一般に設置されている飲料の自動販売機やコンビニエンスストアに設置されているコピー機に代表されるガソリンや電気等のエネルギー源以外の物品やサービスの提供設備が有する物品やサービスの提供機能を構成する要素とで構成され、原則としてタッチパネル等と金銭投入口等とのうち片方又は両方を具備することを特徴とする設備である。
【００１２】
当該特徴によって、ガソリンや電気等のエネルギー源の提供を受けることとガソリンや電気等のエネルギー源以外の物品やサービスの提供を受けることとを同一地点で完了させることや略同一地点で完了させることが可能となり、かつ、本発明の設備の使用に際してガソリンや電気等のエネルギー源の提供を受けることに関する情報入力等の操作とガソリンや電気等のエネルギー源以外の物品やサービスの提供を受けることに関する情報入力等の操作とが必要な場合、ガソリンや電気等のエネルギー源の提供を受けることに関する情報入力等の操作とガソリンや電気等のエネルギー源以外の物品やサービスの提供を受けることに関する情報入力等の操作とを一度にまとめて完了させることや一連の情報入力等の操作として完了させることも可能となる。
【００１３】
また、固定給油設備とコンビニエンスストアとが同一の敷地内に存在する形態の給油取扱所であってもその敷地内で固定給油設備が設置されている区域とコンビニエンスストアが設置されている区域とは分かれており、したがって、ガソリンの提供とコンビニエンスストアで提供されている物品やサービスの提供とを受ける場合は、固定給油設備の前に自動車を停車させ降車しガソリンの提供を受けた後、固定給油設備が設置されている区域からコンビニエンスストアが設置されている区域に自動車を移動させ停車させ、再び降車しコンビニエンスストアに入り物品やサービスの提供を受けるなどしなければならなかった従来の不便を解消することも可能となる。
【００１４】
つまり、ガソリンや電気等のエネルギー源の提供とガソリンや電気等のエネルギー源以外の物品やサービスの提供とを同時に受けることは不可能であり、ガソリンや電気等のエネルギー源の提供とガソリンや電気等のエネルギー源以外の物品やサービスの提供とは別個に受けなければならなかった従来の不便を解消することが可能となる。
【図面の簡単な説明】
【００１５】
【図１】本発明の実施の形態の一例を示す図である。本発明の実施の形態の一例として図１が示す設備はガソリンと缶入り飲料とを提供する場合の設備である。
【発明を実施するための形態】
【００１６】
次に本発明の実施の形態の一例として、本発明の設備を使用してガソリンの提供と缶入り飲料の提供とを受ける場合について図１を用いて説明する。ただし、ガソリンの提供の形態は自動車への給油とする。
【００１７】
本発明の設備の使用者は、本発明の設備を使用してガソリンの提供と缶入り飲料の提供とを受けるに当たって、始めに本発明の設備の前に自動車を停車させる。
【００１８】
その後、ガソリンの提供と缶入り飲料の提供とを受けることに伴う決済について現金あるいはクレジットカードあるいはプリペイドカード等の決済方法のうち自身が実行することを希望する決済方法を決定し当該決定をタッチパネル（１）を用いて本発明の設備に入力する。
【００１９】
その後、クレジットカード挿入口（２）にクレジットカードを挿入するなどの決済についての処理を行う。
【００２０】
その後、提供を受けるガソリンの種類についてレギュラーガソリンあるいはハイオクガソリン等のガソリンの種類のうち自身が提供を受けることを希望するガソリンの種類を決定し当該決定をタッチパネル（１）を用いて本発明の設備に入力する。
【００２１】
その後、提供を受けるガソリンの量について燃料タンク満杯まであるいは２０リットルあるいは１０００円分等の提供量のうち自身が提供を受けることを希望する提供量を決定し当該決定をタッチパネル（１）を用いて本発明の設備に入力する。
【００２２】
その後、提供を受ける缶入り飲料について本発明の設備が提供する缶入り飲料として提示されている缶入り飲料のサンプル（３）を参考に自身が提供を受けることを希望する缶入り飲料を決定し当該決定をタッチパネル（１）を用いて本発明の設備に入力する。
【００２３】
缶入り飲料に関する当該入力により、本発明の設備の内部に収納されている缶入り飲料のうち自身が提供を受けることを希望する缶入り飲料が本発明の設備の内部より缶入り飲料の取り出し口（４）に搬出され、缶入り飲料の提供を受けることが完了する。
【００２４】
その後、ノズル（５）を本発明の設備の前に停車させた自動車の給油口に挿入しノズルが具備するレバー（６）を握る。
【００２５】
ノズル（５）とノズルが具備するレバー（６）に関する当該操作により、ノズル（５）からガソリンが放出されガソリンの提供を受けることが完了する。
【符号の説明】
【００２６】
１  タッチパネル
２  クレジットカード挿入口
３  本発明の設備が提供する缶入り飲料として提示されている缶入り飲料のサンプル
４  缶入り飲料の取り出し口
５  ノズル
６  ノズルが具備するレバー
【図１】
2016002785.tif 000003